(57)【特許請求の範囲】
【請求項１】
繊維を含む原料の一部を用いてシートを製造する製造部と、
前記原料の中から除去された除去物を吸引する吸引部と、
前記除去物をフィルターで捕集する捕集部と、
前記フィルターで捕集された前記除去物が多いときのほうが少ない時よりも前記吸引部の吸引力を増大させる変更部と、
を備えることを特徴とする、シート製造装置。
【請求項２】
前記製造部は、
前記原料を乾式解繊して解繊物を生成する解繊部と、
前記解繊物を気流により分級するサイクロンと、
前記サイクロンの下部から排出された排出物を用いてシートを形成する形成部と、
を備え、
前記吸引部は前記サイクロンの上部に連通することを特徴とする、請求項１に記載のシート製造装置。
【請求項３】
前記製造部は、
前記原料を乾式解繊して解繊物を生成する解繊部と、
移動するベルトに前記解繊物を堆積させる堆積部と、
堆積したウェブを用いてシートを形成する形成部と、
を備え、
前記ベルトの搬送面に対して一方側に前記堆積部を配置し、他方側に前記吸引部を配置することを特徴とする、請求項１に記載のシート製造装置。
【請求項４】
前記除去物の回収量に関連する情報の取得を行う取得部を備えることを特徴とする、請求項１ないし請求項３のいずれか一項に記載のシート製造装置。
【請求項５】
前記取得部は、前記吸引部に連通する流路、又は、前記サイクロンに連結する複数の流路の少なくとも一つの流路に配置され、当該流路内の風速に関する情報の測定を行うセンサーからの情報を取得することを特徴とする、請求項４に記載のシート製造装置。
【請求項６】
前記取得部は、前記シート製造装置の稼働時間、前記シートの製造量、前記原料の供給量のうち少なくとも一つの情報を取得することを特徴とする、請求項４に記載のシート製造装置。
【請求項７】
前記フィルターの清掃または交換を促す表示部を有することを特徴とする、請求項１ないし請求項６のいずれか一項に記載のシート製造装置。
【請求項８】
繊維を含む原料の一部を用いてシートを製造するシート製造方法であって、
前記原料の中から除去された除去物を吸引して除去すること、
前記除去物をフィルターで捕集すること、
前記フィルターで捕集された前記除去物が多いときのほうが少ない時よりも前記吸引の吸引力を増大させること、
を含む、シート製造方法。
【発明の詳細な説明】
【技術分野】
【０００１】
本発明は、シート製造装置及びシート製造方法に関する。
【背景技術】
【０００２】
繊維状の物質を堆積させ、堆積させた繊維の相互間に結合力を働かせてシート状あるいはフィルム状の成形体を得ることは古くから行われている。その典型例として、水を用いた抄造（抄紙）によって紙を製造することが挙げられる。現在においても紙を製造する方法の一つとして抄造法が広く用いられている。抄造法で製造される紙は、一般に例えば木材等に由来するセルロースの繊維が互いに絡み合って水素結合を形成し、さらにバインダー（紙力増強剤（デンプン糊、水溶性樹脂等））によって互いに部分的に結着されている構造を有するものが多い。
【０００３】
一方、特許文献１には、乾式のシート製造方法が開示されている。係る製造方法では、原料を解繊し、サイクロンを用いてトナーやバインダー等の廃粉が除去された繊維を用いてシートを成形している。廃粉は、吸引部による吸引によりサイクロンから除去される。
【先行技術文献】
【特許文献】
【０００４】
【特許文献１】特開２０１２−１４４８１９号公報
【発明の概要】
【発明が解決しようとする課題】
【０００５】
しかしながら、特許文献１に記載の製造方法のように、廃粉を単に捕集部等で受けて回収する場合には、製造装置が乾式であることから、装置内に発生させる気流によって廃粉が舞い上がり、装置内の汚染が生じる場合があった。したがって、そのような汚染を低減させるために廃粉をフィルター等によって捕集することが考えられる。
【０００６】
ところが、フィルターによる廃粉の捕集量は、製造装置の運転を継続することにより増すため、捕集された廃粉によってフィルターの目が徐々に詰ってゆくことになる。このような場合に装置の運転を継続すると、目詰まりが、フィルターを気流が通過するための抵抗となり、吸引部による吸引力が低下することがあった。吸引部による吸引力が低下すると、フィルターを通過する気流の流量が減少し、気流中に含まれる廃粉の回収量（除去量）が減少してしまう。例えば、廃粉がトナー等である場合には、このような目詰まりが生じると、運転時間の経過とともに、製造されるシートの白色度が低下したり所定の色調から外れてしまうことがあった。
【０００７】
本発明の幾つかの態様に係る目的の一つは、運転中に廃粉を回収するフィルターの目詰まりが生じても、より長時間にわたって安定した性状のシートを製造することのできるシート製造装置及びシート製造方法を提供することにある。
【課題を解決するための手段】
【０００８】
本発明は、上記課題の少なくとも一部を解決するために為されたものであり、以下の態様又は適用例として実現することができる。
【０００９】
本発明に係るシート製造装置の一態様は、繊維を含む原料の一部を用いてシートを製造する製造部と、前記原料のうちで、前記シートに使用されない除去物を吸引する吸引部と、前記除去物をフィルターで捕集する捕集部と、前記フィルターで捕集された前記除去物
が多いときのほうが少ない時よりも前記吸引部の吸引力を増大させる変更部と、を備える。
【００１０】
このようなシート製造装置は、運転中に除去物を回収するフィルターの目詰まりが生じても、吸引力を増大させることで除去物の除去量が減少することを抑制し、より長時間にわたって安定した性状のシートを製造することができる。
【００１１】
本発明に係るシート製造装置において、前記製造部は、前記原料を乾式解繊して解繊物を生成する解繊部と、前記解繊物を気流により分級するサイクロンと、前記サイクロンの下部から排出された排出物を用いてシートを形成する形成部と、を備えてもよく、前記吸引部は前記サイクロンの上部に連通してもよい。本発明は、サイクロンから吸引部により除去物を除去するようなシート製造装置において好適に適用できる。
【００１２】
本発明に係るシート製造装置において、前記製造部は、前記原料を乾式解繊して解繊物を生成する解繊部と、移動するベルトに前記解繊物を堆積させる堆積部と、堆積したウェブを用いてシートを形成する形成部と、を備えてもよく、前記ベルトの搬送面に対して一方側に前記堆積部を配置し、他方側に前記吸引部を配置してもよい。本発明は、サイクロンだけでなく、堆積部において吸引部により除去物を除去するようなシート製造装置においても好適に適用できる。
【００１３】
本発明に係るシート製造装置において、前記除去物の回収量に関連する情報の取得を行う取得部を備えてもよい。このようなシート製造装置は、除去物が多いことを、除去物の回収量に関連する情報を取得することで把握できる。
【００１４】
本発明に係るシート製造装置において、前記取得部は、前記吸引部に連通する流路、又は、前記サイクロンに連結する複数の流路の少なくとも一つの流路に配置され、当該流路内の風速に関する情報の測定を行うセンサーからの情報を取得してもよい。このようなシート製造装置は、吸引部に連通する流路内の風速に関する情報を測定して、直接的に吸引力が低下したことを把握できる。また、吸引部の吸引力が低下すると、サイクロンに連結する流路の風速も変化するため、サイクロンに連結する複数の流路の少なくとも一つの流路の風速に関する情報を測定することで、吸引部の吸引力が低下したことを把握できる。これらにより、除去物が多いことを把握できる。
【００１５】
本発明に係るシート製造装置において、前記取得部は、前記シート製造装置の稼働時間、前記シートの製造量、前記原料の供給量のうち少なくとも一つの情報を取得してもよい。シート製造装置の稼働時間、シートの製造量、原料の供給量は、多ければ多いほど除去物の量も多くなる。そこで、このようなシート製造装置は、これらの情報の少なくとも一つを取得することで、除去物が多いことを把握できる。
【００１６】
本発明に係るシート製造装置において、前記フィルターの清掃または交換を促す表示部を有してもよい。このようなシート製造装置は、吸引部の吸引力を増大させても効果が無い場合に、フィルターの清掃または交換をすることで吸引力を増大させることができる。
【００１７】
本発明に係るシート製造方法の一態様は、繊維を含む原料の一部を用いてシートを製造するシート製造方法であって、前記原料のうちで、前記シートに使用されない除去物を吸引して除去すること、前記除去物をフィルターで捕集すること、前記フィルターで捕集された前記除去物が多いときのほうが少ない時よりも前記吸引の吸引力を増大させること、を含む。
【００１８】
このようにすれば、除去物を回収するフィルターの目詰まりが生じても、吸引力を増大
させることで除去物の除去量が減少することを抑制し、より長時間にわたって安定した性状のシートを製造することができる。
【図面の簡単な説明】
【００１９】
【図１】実施形態に係るシート製造装置の模式図。
【図２】実施形態に係る制御部の機能ブロックの模式図。
【図３】実施形態に係る制御部の制御処理の例を説明するフローチャート。
【図４】実施形態に係る制御部の制御処理の例を説明するフローチャート。
【図５】実施形態に係る制御部の制御処理の例を説明するフローチャート。
【図６】実施形態に係る制御部の制御処理の例を説明するフローチャート。
【図７】実施形態に係る制御部の制御処理の例を説明するフローチャート。
【図８】実施形態に係る制御部の制御処理の例を説明するフローチャート。
【発明を実施するための形態】
【００２０】
以下に本発明の幾つかの実施形態について説明する。以下に説明する実施形態は、本発明の例を説明するものである。本発明は以下の実施形態になんら限定されるものではなく、本発明の要旨を変更しない範囲において実施される各種の変形形態も含む。なお以下に説明される構成の全てが本発明の必須の構成であるとは限らない。
【００２１】
１．シート製造装置
まず、本実施形態に係るシート製造装置について、図面を参照しながら説明する。図１は、本実施形態に係るシート製造装置１００を模式的に示す図である。シート製造装置１００は、図１に示すように、製造部１０２と、吸引部１０４と、捕集部１０６（１０７）と、制御部１４０と、を備える。
【００２２】
１．１．製造部、吸引部及び捕集部
製造部１０２は、シートを製造する。製造部１０２は、供給部１０と、粗砕部１２と、解繊部２０と、分級部３０と、選別部４０と、混合部５０と、堆積部６０と、ウェブ形成部７０と、シート形成部８０と、切断部９０と、を有している。
【００２３】
供給部１０は、粗砕部１２に原料を供給する。供給部１０は、例えば、粗砕部１２に原料を連続的に投入するための自動投入部である。供給部１０によって供給される原料は、例えば、古紙などである。供給部１０は、原料の供給量に関する情報（信号）を処理部１４５に対して送出してもよい。
【００２４】
粗砕部１２は、供給部１０によって供給された原料を、空気中で裁断して細片にする。細片の形状や大きさは、例えば、数ｃｍ角の細片である。図示の例では、粗砕部１２は、粗砕刃１４を有し、粗砕刃１４によって、投入された原料を裁断することができる。粗砕部１２としては、例えば、シュレッダーを用いる。粗砕部１２によって裁断された原料は、ホッパー１で受けてから管２を介して、解繊部２０に移送（搬送）される。
【００２５】
解繊部２０は、粗砕部１２によって裁断された原料を解繊する。ここで、「解繊する」とは、複数の繊維が結着されてなる原料（被解繊物）を、繊維１本１本に解きほぐすことをいう。解繊部２０は、原料に付着した樹脂粒やインク、トナー、にじみ防止剤等の物質を、繊維から分離させる機能をも有する。
【００２６】
解繊部２０を通過したものを「解繊物」という。「解繊物」には、解きほぐされた解繊物繊維の他に、繊維を解きほぐす際に繊維から分離した樹脂（複数の繊維同士を結着させるための樹脂）粒や、インク、トナーなどの色材や、にじみ防止材、紙力増強剤等の添加剤を含んでいる場合もある。解きほぐされた解繊物の形状は、ひも（ｓｔｒｉｎｇ）状や
平ひも（ｒｉｂｂｏｎ）状である。解きほぐされた解繊物は、他の解きほぐされた繊維と絡み合っていない状態（独立した状態）で存在してもよいし、他の解きほぐされた解繊物と絡み合って塊状となった状態（いわゆる「ダマ」を形成している状態）で存在してもよい。
【００２７】
解繊部２０は、大気中（空気中）において乾式で解繊を行う。具体的には、解繊部２０としては、インペラーミルを用いる。解繊部２０は、原料を吸引し、解繊物を排出するような気流を発生させる機能を有している。これにより、解繊部２０は、自ら発生する気流によって、導入口２２から、原料を気流と共に吸引し、解繊処理して、排出口２４へと搬送することができる。解繊部２０を通過した解繊物は、管３を介して、分級部３０に移送される。
【００２８】
なお、管３にはブロワー３８が設けられている。ブロワー３８は、気流を生じさせる。係る気流は、解繊部２０からの解繊物を分級部３０に移送するとともに、分級部３０における旋回気流をバランスさせる気流の一部となる。
【００２９】
分級部３０は、解繊部２０を通過した解繊物を分級する。具体的には、分級部３０は、解繊物の中で比較的小さいものや密度の低いもの（樹脂粒や色材や添加剤など）を分離して除去する。これにより、解繊物の中で比較的大きいもしくは密度の高いものである繊維の占める割合を高めることができる。
【００３０】
分級部３０としては、気流式分級機を用いる。気流式分級機は、旋回気流を発生させ、分級されるもののサイズと密度とにより受ける遠心力の差によって分離するものであり、気流の速度および遠心力の調整によって、分級点を調整することができる。具体的には、分級部３０としては、サイクロン、エルボージェット、エディクラシファイヤーなどを用いる。特に図示のようなサイクロンは、構造が簡単であるため、分級部３０として好適に用いることができる。
【００３１】
分級部３０は、例えば、導入口３１と、導入口３１が接続された円筒部３２と、円筒部３２の下方に位置し円筒部３２と連続している逆円錐部３３と、逆円錐部３３の下部中央に設けられている下部排出口３４と、円筒部３２上部中央に設けられている上部排出口３５と、を有している。
【００３２】
分級部３０において、導入口３１から導入された解繊物をのせた気流は、円筒部３２で円周運動に変わる。これにより、導入された解繊物には遠心力がかかり、分級部３０は、解繊物のうちで樹脂粒やインク粒よりも大きく密度の高い繊維（第１分級物）と、解繊物のうちで繊維よりも小さく密度の低い樹脂粒や色材や添加剤など（第２分級物）と、に分離することができる。
【００３３】
第１分級物は、下部排出口３４から排出され、管４を介して、選別部４０に導入される。一方、第２分級物は、上部排出口３５から管５を介して捕集部１０６に排出される。本明細書では、原料からシートになるまでの間に除去される物質という意味で、第２分級物のことを「除去物」と称することがある。
【００３４】
捕集部１０６は、除去物を捕集するフィルター１０６Ｆを備えている。また、分級部３０の上部排出口３５から捕集部１０６へ至る管５にはブロワー３７が設けられている。すなわち、管５の終端（管５において、分級部３０からブロワー３７を経た端部）に捕集部１０６が設けられている。フィルター１０６Ｆは、分級部３０の上部排出口３５から排出された除去物を含む気流を通過させ、除去物を捕集して気体を透過させる。したがって、ブロワー３７は、分級部３０の内部の除去物を含む気体を吸引する吸引部１０４とみなすことができる。
【００３５】
ブロワー３７は、分級部３０からの除去物を捕集部１０６へ移送するとともに、分級部３０における旋回気流をバランスさせる気流の一部を形成する。ブロワー３７による気流の強さ（流速、流量）については、後述する。また、ブロワー３７及び捕集部１０６は、図示の例では分級部３０から管５に沿ってこの順で設置されているが、分級部３０から管５に沿って捕集部１０６及びブロワー３７の順であってもよい。
【００３６】
分級部３０の下部排出口３４から、選別部４０に至る管４には、ブロワー３９が設けられている。ブロワー３９は、分級部３０からの第１分級物を選別部４０に移送するとともに、分級部３０における旋回気流をバランスさせる気流の一部を形成する。
【００３７】
選別部４０は、分級部３０を通過した第１分級物を導入口４２から導入し、繊維の長さによって選別する。選別部４０としては、例えば、篩（ふるい）を用いる。選別部４０は、網（フィルター、スクリーン）を有し、第１分級物に含まれる、網の目開きの大きさより小さい繊維または粒子（網を通過するもの、第１選別物）と、網の目開きの大きさより大きい繊維や未解繊片やダマ（網を通過しないもの、第２選別物）と、を分けることができる。例えば、第１選別物は、ホッパー６で受けてから管７を介して、混合部５０に移送される。第２選別物は、排出口４４から管８を介して、解繊部２０に戻される。具体的には、選別部４０は、モーターによって回転することができる円筒の篩である。選別部４０の網は、例えば、金網、切れ目が入った金属板を引き延ばしたエキスパンドメタル、金属板にプレス機等で穴を形成したパンチングメタルを用いる。
【００３８】
混合部５０は、選別部４０を通過した第１選別物と、樹脂を含む添加物と、を混合する。混合部５０は、添加物を供給する添加物供給部５２と、選別物と添加物とを搬送する管５４と、ブロアー５６と、を有している。図示の例では、添加物は、添加物供給部５２からホッパー５３を介して管５４に供給される。管５４は、管７と兼用されている。
【００３９】
混合部５０では、ブロアー５６によって気流を発生させ、管５４中において、第１選別物と添加物とを混合させながら、搬送することができる。なお、第１選別物と添加物とを混合させる機構は、特に限定されず、高速回転する羽根により攪拌するものであってもよいし、Ｖ型ミキサーのように容器の回転を利用するものであってもよい。
【００４０】
添加物供給部５２としては、図１に示すようなスクリューフィーダーや、図示せぬディスクフィーダーなどを用いる。添加物供給部５２から供給される添加物は、複数の繊維を結着させるための樹脂を含む。樹脂が供給された時点では、複数の繊維は結着されていない。樹脂は、シート形成部８０を通過する際に溶融して、複数の繊維を結着させる。
【００４１】
添加物供給部５２から供給される樹脂は、熱可塑性樹脂や熱硬化性樹脂であり、例えば、ＡＳ樹脂、ＡＢＳ樹脂、ポリプロピレン、ポリエチレン、ポリ塩化ビニル、ポリスチレン、アクリル樹脂、ポリエステル樹脂、ポリエチレンテレフタレート、ポリフェニレンエーテル、ポリブチレンテレフタレート、ナイロン、ポリアミド、ポリカーボネート、ポリアセタール、ポリフェニレンサルファイド、ポリエーテルエーテルケトン、などである。これらの樹脂は、単独または適宜混合して用いてもよい。添加物供給部５２から供給される添加物は、繊維状であってもよく、粉末状であってもよい。
【００４２】
なお、添加物供給部５２から供給される添加物には、繊維を結着させる樹脂の他、製造されるシートの種類に応じて、繊維を着色するための着色剤や、繊維の凝集を抑制するための凝集抑制剤、繊維等が燃えにくくするための難燃剤が含まれていてもよい。混合部５０を通過した混合物（第１選別物と添加物との混合物）は、管５４を介して、堆積部６０に移送される。
【００４３】
堆積部６０は、混合部５０を通過した混合物を導入口６２から導入し、絡み合った解繊物（繊維）をほぐして、空気中で分散させながら降らせる。さらに、堆積部６０は、添加物供給部５２から供給される添加物の樹脂が繊維状である場合、絡み合った樹脂をほぐす。これにより、堆積部６０は、ウェブ形成部７０に、混合物を均一性よく堆積させることができる。
【００４４】
堆積部６０としては、回転する円筒の篩を用いる。堆積部６０は、網を有し、混合部５０を通過した混合物に含まれる、網の目開きの大きさより小さい繊維または粒子（網を通過するもの）を降らせる。堆積部６０の構成は、例えば、選別部４０の構成と同じである。
【００４５】
なお、堆積部６０の「篩」は、特定の対象物を選別する機能を有していなくてもよい。すなわち、堆積部６０として用いられる「篩」とは、網を備えたもの、という意味であり、堆積部６０は、堆積部６０に導入された混合物の全てを降らしてもよい。
【００４６】
ウェブ形成部７０は、堆積部６０を通過した通過物を堆積して、ウェブＷを形成する。ウェブ形成部７０は、例えば、メッシュベルト７２と、張架ローラー７４と、サクション機構７６と、を有している。
【００４７】
メッシュベルト７２は、移動しながら、堆積部６０の開口（網の開口）を通過した通過物を堆積する。メッシュベルト７２は、張架ローラー７４によって張架され、通過物を通しにくく空気を通す構成となっている。メッシュベルト７２は、張架ローラー７４が回転することによって移動する。メッシュベルト７２が連続的に移動しながら、堆積部６０を通過した通過物が連続的に降り積もることにより、メッシュベルト７２上にウェブＷが形成される。メッシュベルト７２は、例えば、金属製、樹脂製、布製、あるいは不織布等である。
【００４８】
サクション機構７６は、メッシュベルト７２の下方（堆積部６０側とは反対側）に設けられている。すなわち、メッシュベルト７２の搬送面（ウェブＷが堆積されて搬送される側の面）に対して一方側に堆積部６０が配置され、他方側にサクション機構７６が配置されている。サクション機構７６は、下方に向く気流（堆積部６０からメッシュベルト７２に向く気流）を発生させることができる。サクション機構７６によって、堆積部６０により空気中に分散された混合物をメッシュベルト７２上に吸引することができる。これにより、堆積部６０からの排出速度を大きくすることができる。さらに、サクション機構７６によって、混合物の落下経路にダウンフローを形成することができ、落下中に解繊物や添加物が絡み合うことを防ぐことができる。
【００４９】
サクション機構７６は、堆積部６０を通過した気流（空気）及びメッシュベルト７２に堆積されなかった繊維や添加物等（除去物）を系外へ排出する。管９にはブロワー７７が設けられ、当該ブロワー７７によって形成される気流により、サクション機構７６の内部が吸引され、空気及び除去物を系外へ排出する。なお、本明細書では、原料からシートになるまでの間に除去される物質という意味で、サクション機構７６によって除去される物質（繊維、樹脂、添加物等）のことを「除去物」と称することがある。
【００５０】
また、管９には捕集部１０７が設けられている。捕集部１０７は、除去物を捕集するフィルター１０７Ｆを備えている。すなわち、管９の途中（管９において、サクション機構７６とブロワー７７との間）に捕集部１０７が設けられている。フィルター１０７Ｆは、サクション機構７６からの除去物を含む気流を通過させ、除去物を捕集して気体を透過させる。ブロワー７７は、サクション機構７６からの除去物を捕集部１０７へ移送する気流を発生させる。したがって、管９、ブロワー７７は、除去物を含む気体を吸引する吸引部１０４とみなすことができる。ブロワー７７による気流の強さ（流速、流量）については、後述する。また、捕集部１０７及びブロワー７７は、図示の例ではサクション機構７６から管９に沿ってこの順で設置されているが、サクション機構７６から管９に沿ってブロワー７７及び捕集部１０７の順であってもよい。
【００５１】
以上のように、堆積部６０およびウェブ形成部７０（ウェブ形成工程）を経ることにより、空気を多く含み柔らかくふくらんだ状態のウェブＷが形成される。メッシュベルト７２に堆積されたウェブＷは、シート形成部８０へと搬送される。
【００５２】
なお、図示の例では、ウェブＷを調湿する調湿部７８が設けられている。調湿部７８は、ウェブＷに対して水や水蒸気を添加して、ウェブＷと水との量比を調節することができる。
【００５３】
シート形成部８０は、メッシュベルト７２に堆積したウェブＷを加圧加熱してシートＳを成形する。シート形成部８０では、ウェブＷにおいて混ぜ合された解繊物および添加物の混合物に、熱を加えることにより、混合物中の複数の繊維を、互いに添加物（樹脂）を介して結着することができる。
【００５４】
シート形成部８０としては、例えば、加熱ローラー（ヒーターローラー）、熱プレス成形機、ホットプレート、温風ブロワー、赤外線加熱器、フラッシュ定着器を用いる。図示の例では、シート形成部８０は、第１結着部８２と第２結着部８４とを備え、結着部８２，８４がそれぞれ一対の加熱ローラー８６を備えている。結着部８２，８４を加熱ローラー８６として構成したことにより、結着部８２，８４を板状のプレス装置（平板プレス装置）として構成した場合に比べて、ウェブＷを連続的に搬送しながらシートＳを成形することができる。なお、加熱ローラー８６の数は、特に限定されない。
【００５５】
切断部９０は、シート形成部８０によって成形されたシートＳを切断する。図示の例では、切断部９０は、シートＳの搬送方向と交差する方向にシートＳを切断する第１切断部９２と、搬送方向に平行な方向にシートＳを切断する第２切断部９４と、を有している。第２切断部９４は、例えば、第１切断部９２を通過したシートＳを切断する。
【００５６】
以上により、所定のサイズの単票のシートＳが成形される。切断された単票のシートＳは、排出部９６へと排出される。排出部９６は、処理部１４５に対して製造されたシートＳの枚数に関する情報（信号）を送出してもよい。
【００５７】
１．２．制御部
図２は、制御部１４０の機能ブロックを模式的に示している。制御部１４０は、図２に示すように、操作部１４１と、出力部１４２と、記憶部１４３と、記憶媒体１４４と、処理部１４５と、を有している。
【００５８】
操作部１４１は、ユーザーによる操作に応じた操作信号を取得し、処理部１４５に信号を送る処理を行う。操作部１４１は、例えば、ボタン、キー、タッチパネル型ディスプレイ、マイクなどである。
【００５９】
出力部１４２は、処理部１４５から入力される信号に基づいて、処理部１４５の処理結果等を表示する表示部である。出力部１４２は、例えば、処理部１４５の処理結果を文字、光、音等で出力する。出力部１４２は、例えば、ＬＣＤ（Ｌｉｑｕｉｄ  Ｃｒｙｓｔａｌ  Ｄｉｓｐｌａｙ）、ＣＲＴ（Ｃａｔｈｏｄｅ  Ｒａｙ  Ｔｕｂｅ）、タッチパネル型ディスプレイなどである。
【００６０】
記憶部１４３は、処理部１４５が各種の制御処理を行うためのプログラムやデータ等を記憶している。記憶部１４３は、さらに、処理部１４５の作業領域として用いられてもよい。また、記憶部１４３は、操作部１４１から入力された操作信号、記憶媒体１４４等から読み出されたプログラムやデータ、処理部１４５が各種プログラムに従って実行した結果や各種のテーブル等を記憶する。
【００６１】
記憶媒体１４４は、各種のアプリケーションプログラムやデータを記憶するための、コンピューター読み取り可能な記憶媒体である。なお、当該プログラムは、ホスト装置（サーバー）が有する情報記憶媒体からネットワーク等を介して記憶媒体１４４（記憶部１４３）に配信されてもよい。記憶媒体１４４は、処理部１４５の処理により生成されるデータのうち、長期的な保存が必要なデータを記憶する記憶部としても機能してもよい。記憶媒体１４４は、例えば、光ディスク（ＣＤ、ＤＶＤ）、光磁気ディスク（ＭＯ）、磁気ディスク、ハードディスク、磁気テープ、メモリー（ＲＯＭ、フラッシュメモリーなど）により実現される。
【００６２】
また、図示しないが、制御部１４０は、クロック等の計時手段を有しており、例えば、シート製造装置１００の稼働時間に関する情報や、稼働開始時刻、停止時刻等のタイマーに関する情報を、処理部１４５に対して提供することができる。
【００６３】
処理部１４５は、記憶部１４３に記憶されているプログラムや記憶媒体１４４に記憶されているプログラムに従って、各種の制御処理を行う。また、処理部１４５は、記憶部１４３に記憶されているデータや記憶媒体１４４に記憶されているデータを呼び出して各種の演算処理を行う。さらに、処理部１４５は、各センサー（風量計等）からの情報、及び／又は、操作部１４１からの情報を取得して各種の演算処理を行う。さらに、処理部１４５は、これらの演算結果に従って、記憶部１４３にデータを記憶させること、出力部１４２にデータを表示させること、及び、上述の各構成を駆動するモーターの起動、停止、回転数を変更すること、の少なくとも一つを行う。
【００６４】
従って、図２に示すように、処理部１４５は、例えば、吸引部１０４のブロワーのモーターの回転数を変更することによって、吸引部１０４の吸引力を変更する変更部とみなすことができる。また、処理部１４５は、例えば、管路に設置された風量計等の情報（信号）、操作部１４１からの入力情報、計時手段からの情報等を取得する取得部とみなすことができる。そのため、例えば、処理部１４５は、ブロワー３７、ブロワー７７の少なくとも一方の回転数を制御し、各吸引部１０４の吸引力を増大させることや減少させることができる。さらに、処理部１４５は、風量計等の計測結果を取得して、係る結果に基づいて各種の制御処理を行うことができる。
【００６５】
処理部１４５は、各ブロワーを駆動するモーターの回転数を電気的に制御することができる。係るモーターは、電流、電圧、周波数等いずれの手法によって制御されてもよい。処理部１４５は、例えば、各ブロワーのモーターを駆動する電源回路に接続され、係る回路に制御信号を送ることにより、モーターの回転数を変更することができる。処理部１４５は、吸引部１０４を構成するブロワー３７及びブロワー７７をそれぞれ制御することができ、これにより吸引部１０４の吸引力を変更することができる。なお、本願において、モーターの回転数とは、回転回数のことではなく、回転速度である。つまり、回転数とは、単位時間あたりの回転回数を意味する。
【００６６】
本実施形態では、処理部１４５は、例えば、第１〜第６制御処理を行う。処理部１４５の機能は、各種プロセッサ（ＣＰＵ、ＤＳＰ等）、ＡＳＩＣ（ゲートアレイ等）などのハ
ードウェアや、プログラムにより実現できる。なお、処理部１４５の少なくとも一部をハードウェア（専用回路）で実現してもよい。
【００６７】
１．３．その他の構成
シート製造装置１００は、各管（流路）の内部を流れる気体（材料とともに移動する気体）の流量（風量）や流速（風速）を計測するセンサーとして風量計を備えている。すなわち、シート製造装置１００は、分級部３０の導入口３１に接続する管３に設けられた風量計１３１、分級部３０の上部排出口３５に接続する管５に設けられた風量計１３２、分級部３０の下部排出口３４に接続する管４に設けられた風量計１３３、及び、サクション機構７６に接続する管９に設けられた風量計１３４を備えている。各風量計の態様は、各管内の風量や風速を計測できるかぎり任意である。なお、これらの風量計のうち、少なくとも一つを有していればよい。また、各管における風量計の設置される位置は特に限定されず、例えば、ブロワーに対して気流の上流側、下流側のいずれでもよい。
【００６８】
風量計１３１、１３２、１３３、１３４は、それぞれ設置された管３、５、４、９内の気流の風量（風速）に関する信号を、図示しない配線等を通じて処理部１４５へ提供することができる。
【００６９】
また、図示しないが、捕集部１０６、捕集部１０７は、フィルター１０６Ｆ、フィルター１０７Ｆに捕集された除去物の回収量を測定するセンサーを備えてもよい。そのようなセンサーとしては、変位センサー、光センサー、重量センサー等であり、計測値を除去物の回収量に関連する情報として処理部１４５に提供してもよい。
【００７０】
さらに、図示しないが、本実施形態のシート製造装置１００は、給紙される古紙の坪量、紙種、印字Ｄｕｔｙ等を測定可能なセンサーを有してもよい。そのようなセンサーとしては、光センサー、スキャナー等であり、測定された情報を除去物の回収量に関する情報として処理部１４５に提供してもよい。
【００７１】
１．４．分級部の動作
上述の通り、分級部３０は、例えばサイクロンである。以下、分級部３０がサイクロンである場合について、その動作を説明する。サイクロンは、内部に発生する気流の作用により物質を分離するが、係る気流は、主にサイクロンに接続された管３、管５、管４にそれぞれ設けられたブロワー３８、ブロワー３７、ブロワー３９によって発生される。サイクロン内に気流を発生させるブロワーの数や位置は、特に限定されない。また、ブロワー３８及びブロワー３９は、いずれか一方でもよい。サイクロンは、サイクロンに送り込まれる気流によって動作されても、サイクロンから排出される気流によって動作されてもよい。
【００７２】
サイクロンの内部に発生される気流は、接続された管の位置やブロワーの能力に従って変化する。サイクロン内部の気流は、除去物をムラ無く分離するためにはできるだけ強度等が変動しないことが好ましい。サイクロン内部の気流は、接続されたブロワーの能力に応じて風量、風速が変化する。さらに、サイクロン内に発生する気流の強度は、サクション機構７６を吸引する管９に設けられたブロワー７７の能力にも依存して変化する。
【００７３】
このように、サイクロン中の気流は、複数のブロワーによって風量や風速が変化するため、サイクロンの分級能力を所定の範囲に維持するためには、それら複数のブロワーによって発生される気流のバランスを保つことが重要である。
【００７４】
ここで、上述したように、サイクロン（分級部３０）の上部排出口３５には、吸引部１０４が接続されており、フィルター１０６Ｆを備えた捕集部１０６によって除去物が捕集される。また、サクション機構７６には、吸引部１０４が接続されており、フィルター１０７Ｆを備えた捕集部１０７によって除去物が捕集される。
【００７５】
これらの吸引部１０４のブロワーは、捕集部（フィルター）が接続されるため、係るフィルターに除去物が捕集され、捕集量が増えることにより、除去物を含む空気がフィルターを通過するための抵抗が増大しやすい。換言すると、フィルターの除去物の捕集量が増えると、圧力損失（圧損）が大きくなる。このような場合、吸引部１０４のブロワーの回転数が変化しなければ、吸引部１０４の吸引力が低下することになる。これらのブロワーによる吸引力の低下は、フィルターを含まない管に設けられたブロワーに比較してより早期に生じやすい。
【００７６】
このように、吸引部１０４の吸引力が低下すると、サイクロンにおける気流のバランスが崩れて、サイクロンの分級能力が変化してしまうことがある。本実施形態のシート製造装置１００では、以下に説明する制御処理が行われることにより、サイクロンにおける気流のバランスを、より長期間にわたって所定の範囲に保つことができる。
【００７７】
１．５．シート製造装置の制御処理
１．５．１．第１制御処理
まず、第１制御処理について説明する。図３は、制御部１４０の第１制御処理を説明するためのフローチャートである。
【００７８】
第１制御処理は、シートを製造している際にモーターの回転数を変更する場合の処理である。前提として、シート製造装置１００の各部は、シートを製造する際の処理に基づいて動作をしている。その一つの動作として、吸引部１０４のブロワー３７を駆動するモーターは回転している。第１制御処理は、シートを製造している間に定期的に実行する。例えば１０秒に一度とか、１０分に一度などのように定期的な時間間隔で実行する。時間の間隔ではなく、供給部１０から供給される原料（古紙）の給紙枚数、排出部９６で受けるシートＳの出力枚数をカウントし、１０枚間隔とか１００枚間隔などで定期的に実行してもよい。図３に示すように、処理部１４５が、風量計１３２、１３１、１３３の少なくとも一つから、風速に関する情報を取得する（Ｓ１１）。そして、処理部１４５は、記憶部１４３に記憶された風速の目標値と、風量計から取得した風速との差を演算する（Ｓ１２）。係る演算結果に基づいて、モーターの回転数のフィードバック（ＦＢ）値を演算する（Ｓ１３）。ＦＢ値に基づいてモーターの回転数を設定する（Ｓ１４）。これによって、設定された回転数でモーターを回転する。そして、処理部１４５は、設定した回転数及び／又は取得した風速値を、記憶部１４３に記憶（メモリー）させる（Ｓ１５）。
【００７９】
シートを製造していると、フィルター１０６Ｆは徐々に目詰まりをするので、風速も徐々に低下する。風速の低下はフィルターで捕集された除去物が多いことを意味する。そこで、取得した風速値が風速の目標値よりも所定量減少したら、モーターの回転数を増大して速く回転させる。モーターの回転数を増大するということは、吸引力を増大することになる。つまり、処理部１４５は、フィルターで捕集された除去物が多いときのほうが少ない時よりも吸引部の吸引力を増大させている。
【００８０】
第１制御処理を行うことにより、シート製造装置を稼働させた際に、分級部３０において、より長時間にわたって所定の風量を得ることができる。これにより、分級部３０の安定した分級能力を長時間維持することができる。
【００８１】
１．５．２．第２制御処理
図４は、制御部１４０の第２制御処理を説明するためのフローチャートである。第２制御処理は、シート製造装置１００を稼働する際に、モーター回転数を設定する場合の処理
である。
【００８２】
図４に示すように、装置を稼働させる際には、まず、装置が製造を停止している間に新しいフィルターに交換されたか又はフィルターがクリーニングされたかどうかを判定する（Ｓ３１）。係る判定は、例えば、フィルターの抜き差しの検知結果や、操作部１４１からの入力によりクリーニングが行われたか否かに基づいて行われる。クリーニングが完了していない場合（装置停止の際のフィルターをそのまま使用する場合）（Ｓ３１でＮｏ）には、図３でメモリーした回転数を記憶部１４３から呼び出し（Ｓ３２）、当該回転数に設定する（Ｓ３３）。つまり、前回に装置を稼働したときのモーター回転数の条件でモーターを回転させることになる。一方、クリーニングが完了している場合（新しいフィルター又はクリーニングされたフィルターを使用する場合）（Ｓ３１でＹｅｓ）には、回転数を初期値に設定する（Ｓ３４）。新しいフィルターやクリーニングされたフィルターを使用する場合は、フィルターの目詰まりは生じていないので、モーターの回転数は初期的に設定された初期値に設定する。フィルターの目詰まりが生じた場合は、モーターの回転数を増大させるので、初期値はモーターの回転数が最も低い（遅い）状態である。
【００８３】
第２制御処理を行うことにより、シート製造装置を再稼働する際に、装置の安定稼働状態を短時間で実現することができる。
【００８４】
１．５．３．第３制御処理
図５は、制御部１４０の第３制御処理を説明するためのフローチャートである。第３制御処理は、第１制御処理において、モーターの回転数が上限値に達する場合における処理である。
【００８５】
図５に示すように、処理部１４５が、風量計１３２、１３１、１３３の少なくとも一つから、風速に関する情報を取得する（Ｓ４１）。そして、処理部１４５は、記憶部１４３に記憶された風速の目標値と、風量計から取得した風速との差を演算する（Ｓ４２）。係る演算結果に基づいて、モーターの回転数のフィードバック（ＦＢ）値を演算する（Ｓ４３）。
【００８６】
設定するモーターの回転数が、モーターの回転数の上限値よりも小さい場合（Ｓ４４でＮｏ）には、モーターの回転数を設定して（Ｓ４７）、風速値と回転数を記憶（メモリー）する（Ｓ４８）。一方、設定するモーターの回転数が、モーターの回転数の上限値以上である場合（Ｓ４４でＹｅｓ）には、処理部１４５は、モーターを停止させ（Ｓ４５）、出力部１４２に警告表示をさせる（Ｓ４６）。
【００８７】
フィルターに除去物が捕集されて、圧損が増大し、モーターの回転数を増大しても風速の増加の効果がない又は少ない場合に、第３制御処理を行い警告表示をすることで、フィルターのクリーニング（清掃）や交換をユーザーに促すことができる。なお、フィルターの目詰まりを検知してすぐにフィルターの交換を促さず、モーターの回転数を変更しているので、フィルターの交換頻度を少なくする効果も有する。
【００８８】
１．５．４．第４制御処理
図６は、制御部１４０の第４制御処理を説明するためのフローチャートである。第４制御処理は、シート製造装置１００を稼働する際に、モーター回転数を設定する場合の処理である。
【００８９】
図６に示すように、装置を稼働させる際には、まず、装置が製造を停止している間に新しいフィルターに交換されたか又はフィルターがクリーニングされたかどうかを判定する（Ｓ５１）。係る判定は、例えば、フィルターの抜き差しの検知結果や、操作部１４１か
らの入力によりクリーニングが行われたか否かに基づいて行われる。クリーニングが完了している場合（新しいフィルター又はクリーニングされたフィルターを使用する場合）（Ｓ５１でＹｅｓ）には、回転数を初期値に設定する（Ｓ５７）。新しいフィルターやクリーニングされたフィルターを使用する場合は、フィルターの目詰まりは生じていないので、モーターの回転数は初期的に設定された初期値に設定する。フィルターの目詰まりが生じた場合は、モーターの回転数を増大させるので、初期値はモーターの回転数が最も低い（遅い）状態である。
【００９０】
クリーニングが完了していない場合（装置停止の際のフィルターをそのまま使用する場合）（Ｓ５１でＮｏ）には、図３でメモリーした回転数を記憶部１４３から呼び出し（Ｓ５２）、残り処理枚数を算出して、出力部１４２に表示させる（Ｓ５３）。残り処理枚数は、例えば、フィルターが除去物を捕集してモーターの回転数の上限値となるまでに製造しうるシートＳの枚数（製造量）であり、必要に応じて、操作部１４１から入力された情報や、記憶媒体１４４等に格納された各種のテーブルから呼び出された値を用いて算出される。そして残り処理枚数をユーザーに表示し、クリーニングを行うか否かを判定させる（Ｓ５４）。ユーザーが残り処理枚数を参考して、クリーニングが必要と判断した場合（Ｓ５４でＹｅｓ）には、クリーニングを行って（Ｓ５７）、クリーニングの判定（Ｓ５１）に移行する。一方、ユーザーが残り処理枚数を参考して、クリーニングが不要と判断した場合（Ｓ５４でＮｏ）には、記憶部１４３から呼び出された回転数に設定（Ｓ５５）する。
【００９１】
第４制御処理では、残り処理枚数の表示が行われるため、フィルターのクリーニングの要否を、ユーザーが任意のタイミングで判断することができる。したがって例えば、シート製造装置を無人稼働させる場合において、所望する枚数が残り処理枚数よりも多いときにクリーニングを行えば、所望の枚数を製造するまでに装置が停止してしまうことを避けることができる。
【００９２】
１．５．５．第５制御処理
図７は、制御部１４０の第５制御処理を説明するためのフローチャートである。第５制御処理は、第１制御処理の変形に相当し、風速に代えて除去物の回収量（捕集量）に基づいて行われる処理である。
【００９３】
図７に示すように、処理部１４５が、重量センサー等から、除去物の回収量に関する情報を取得する（Ｓ６１）。そして、処理部１４５は、記憶部１４３に記憶された補正テーブルを参照し、取得した回収量に関する情報から、モーターの回転数のフィードバック（ＦＢ）値を算出する（Ｓ６２）。ＦＢ値に基づいてモーターの回転数を設定する（Ｓ６３）。これによって、設定された回転数でモーターを回転する。そして、処理部１４５は、設定した回転数及び／又は取得した回収量を、記憶部１４３に記憶（メモリー）させる（Ｓ６４）。
【００９４】
シートを製造していると、フィルター１０６Ｆは徐々に目詰まりをするので、風速も徐々に低下する。風速の低下はフィルターで捕集された除去物が多いことを意味する。そこで、除去物の回収量に応じて、モーターの回転数を増大して速く回転させる。モーターの回転数を増大するということは、吸引力を増大することになる。つまり、処理部１４５は、フィルターで捕集された除去物が多いときのほうが少ない時よりも吸引部の吸引力を増大させている。
【００９５】
第５制御処理を行うことにより、新しいフィルター又はクリーニングされたフィルターを捕集部１０６にセットした状態で、シート製造装置を稼働させた際に、分級部３０において、より長期間にわたって所定の風量を得ることができる。
【００９６】
１．５．６．第６制御処理
図８は、制御部１４０の第６制御処理を説明するためのフローチャートである。第６制御処理は、除去物の回収量の上限値に基づく処理である。
【００９７】
図８に示すように、処理部１４５が、重量センサー等から、除去物の回収量に関する情報を取得する（Ｓ７１）。そして、処理部１４５は、記憶部１４３に記憶された補正テーブルを参照し、取得した回収量に関する情報から、モーターの回転数のフィードバック（ＦＢ）値を算出する（Ｓ７２）。
【００９８】
回収量が、回収量の上限値よりも小さい場合（Ｓ７３でＮｏ）には、モーターの回転数を設定して（Ｓ７６）、回収量と回転数を記憶（メモリー）する（Ｓ７７）。一方、設定するモーターの回転数が、モーターの回転数の上限値以上である場合（Ｓ７３でＹｅｓ）には、処理部１４５は、モーターを停止させ（Ｓ７４）、出力部１４２に警告表示をさせる（Ｓ７５）。
【００９９】
フィルターに除去物が捕集（回収）されて、圧損が増大し、モーターの回転数を増大しても風速の増加の効果がない又は少ない場合に、第６制御処理を行い、警告表示をすることで、フィルターのクリーニング（清掃）や交換をユーザーに促すことができる。なお、フィルターの目詰まりを検知してすぐにフィルターの交換を促さず、モーターの回転数を変更しているので、フィルターの交換頻度を少なくする効果も有する。
【０１００】
第６制御処理を行うことで、フィルターに除去物が捕集されて、圧損が増大してゆく場合であっても、除去物の回収量が上限に達するまでの間、安定した風速を得ることができる。これにより、サイクロンにおける気流のバランスを、より長期間にわたって所定の範囲に保つことができる。また、除去物の回収量が上限に達したことを警告表示することで、フィルターのクリーニングや交換をユーザーに促すことができる。
【０１０１】
１．５．７．その他の制御処理
上記の制御処理は、吸引部１０４として、分級部３０の上部排出口３５に接続されたブロワー３７を制御することを例示したが、吸引部１０４として、サクション機構７６に接続されたブロワー７７を制御する場合にも適用することができる。
【０１０２】
また、上記の制御処理では、風速や除去物の回収量に基づく例を示しているが、シート製造装置の稼働時間や供給部１０から供給される原料（古紙）の給紙枚数、排出部９６で受けるシートＳの出力枚数の少なくとも一つを用いて制御してもよい。稼働時間、給紙枚数、出力枚数が多いほど、フィルターの目詰まりも多くなるため、これらも除去物の回収量に関連する情報と言える。そして、記憶部１４３に記憶した稼働時間、給紙枚数、出力枚数の少なくとも一つとモーターの回転数との相関を示すテーブルを用い、モーターの回転数のフィードバック制御を行ってもよい。この制御を行うと、風量計等のセンサー類が不要となり、より簡易な構成のシート製造装置を実現できる。
【０１０３】
２．シート製造方法
本実施形態のシート製造方法は、繊維を含む原料の一部を用いてシートを製造するシート製造方法であって、原料のうちで、シートに使用されない除去物を吸引して除去すること、除去物をフィルターで捕集すること、フィルターで捕集された除去物が多いときのほうが少ない時よりも吸引の吸引力を増大させること、を含む。このようなシート製造方法は、上述のシート製造装置１００により実現することができる。本実施形態のシート製造方法によれば、除去物を回収するフィルターの目詰まりが生じても、より長時間にわたって安定した性状のシートを製造することができる。
【０１０４】
本発明は、本願に記載の特徴や効果を有する範囲で一部の構成を省略したり、各実施形態や変形例を組み合わせたりしてもよい。また本発明は、実施の形態で説明した構成と実質的に同一の構成（機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０１０５】
１…ホッパー、２，３，４，５…管、６…ホッパー、７，８，９…管、１０…供給部、１２…粗砕部、１４…粗砕刃、２０…解繊部、２２…導入口、２４…排出口、３０…分級部、３１…導入口、３２…円筒部、３３…逆円錐部、３４…下部排出口、３５…上部排出口、３７，３８，３９…ブロワー、４０…選別部、４２…導入口、４４…排出口、５０…混合部、５２…添加物供給部、５３…ホッパー、５４…管、５６…ブロアー、６０…堆積部、６２…導入口、７０…ウェブ形成部、７２…メッシュベルト、７４…張架ローラー、７６…サクション機構、７７…ブロワー、７８…調湿部、８０…シート形成部、８２…第１結着部、８４…第２結着部、８６…加熱ローラー、９０…切断部、９２…第１切断部、９４…第２切断部、９６…排出部、１００…シート製造装置、１０２…製造部、１０４…吸引部、１０６，１０７…捕集部、１０６Ｆ，１０７Ｆ…フィルター、１３１，１３２，１３３，１３４…風量計、１４０…制御部、１４１…操作部、１４２…出力部、１４３…記憶部、１４４…記憶媒体、１４５…処理部
【図１】
0006344167.tif 000002
【図２】
0006344167.tif 000003
【図３】
0006344167.tif 000004
【図４】
0006344167.tif 000005
【図５】
0006344167.tif 000006
【図６】
0006344167.tif 000007
【図７】
0006344167.tif 000008
【図８】
0006344167.tif 000009